(57)【要約】【課題】放射線変換パネルの撮影面が放射線源側となるようにカセッテを確実且つ容易に配置し、撮影作業を効率的に行う。【解決手段】放射線検出カセッテ２４のケーシング４２には、放射線Ｘが照射される照射面４０側に反射部６０が設けられ、該照射面４０の反対側となる側面には、複数の膨出面６２を有する凹凸状の散乱部６４が設けられている。そして、患者１４に臨む上方から放射線検出カセッテ２４に対して発光光を照射し、該発光光が受光部３８で受光されなかった場合に、前記放射線検出カセッテ２４の照射面４０が前記撮影装置２２側に設置されていないことが確認され、表示装置２６等に対して警告を行う。【選択図】図２
2009028374.tif 000002
【特許請求の範囲】
【請求項１】
放射線を照射可能な放射線源を有する撮影部と、
被写体を間にして前記撮影部と対峙する位置に設けられ、前記放射線源から照射され前記被写体を透過した放射線を検出し、放射線画像情報に変換する放射線変換パネルを有するカセッテと、
前記放射線変換パネルの撮影面が、前記放射線源側に配置されているか否かを検出する検出手段と、
を備え、
前記検出手段は、前記撮影部に設けられて前記カセッテに臨み、該カセッテに対して発光光を発光し、反射した発光光を受光可能な検出部と、
前記カセッテにおいて前記撮影面を除く側面に設けられ、前記発光光を散乱可能な散乱部と、
からなることを特徴とする放射線画像撮影システム。
【請求項２】
請求項１記載のシステムにおいて、
前記カセッテは、前記撮影面に前記発光光を反射可能な反射部が設けられることを特徴とする放射線画像撮影システム。
【請求項３】
請求項１又は２記載のシステムにおいて、
前記検出部は、前記発光光を発光する発光部と該発光光を受光する受光部とを有することを特徴とする放射線画像撮影システム。
【発明の詳細な説明】
【技術分野】
【０００１】
本発明は、被写体を透過した放射線を放射線画像情報に変換する放射線変換パネルが収容されたカセッテを含む放射線画像撮影システムに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
このような放射線変換パネルは、無線通信手段及びバッテリと共にカセッテに収容され、前記放射線変換パネルの撮影面に対峙した放射線源からＸ線を照射している（例えば、特許文献１参照）。
【０００５】
【特許文献１】特開２００３−１７２７８３号公報
【発明の開示】
【発明が解決しようとする課題】
【０００６】
ところで、特許文献１に係る従来技術においては、放射線変換パネルの撮影面を、放射線源及び患者側に臨むように配置する必要がある。しかしながら、このようなカセッテは、一般的に、薄型箱状に形成されているため、その表裏が判断しにくく、撮影面を放射線源と反対側になるように誤って配置してしまう懸念がある。この状態で放射線画像の撮影が行われた場合には、放射線変換パネルに放射線画像が撮影されず、再度、カセッテを所定向きにセットし直して撮影作業を行う必要があり、その設置作業が煩雑であると共に、作業効率が低下してしまうという問題がある。
【０００７】
本発明は、前記の課題を考慮してなされたものであり、放射線変換パネルの撮影面を放射線源側に確実且つ容易に配置し、撮影作業を効率的に行うことが可能な放射線画像撮影システムを提供することを目的とする。
【課題を解決するための手段】
【０００８】
前記の目的を達成するために、本発明は、放射線を照射可能な放射線源を有する撮影部と、
被写体を間にして前記撮影部と対峙する位置に設けられ、前記放射線源から照射され前記被写体を透過した放射線を検出し、放射線画像情報に変換する放射線変換パネルを有するカセッテと、
前記放射線変換パネルの撮影面が、前記放射線源側に配置されているか否かを検出する検出手段と、
を備え、
前記検出手段は、前記撮影部に設けられて前記カセッテに臨み、該カセッテに対して発光光を発光し、反射した発光光を受光可能な検出部と、
前記カセッテにおいて前記撮影面を除く側面に設けられ、前記発光光を散乱可能な散乱部と、
からなることを特徴とする。
【発明の効果】
【０００９】
本発明によれば、被写体を間として前記放射線源に対峙するようにカセッテが設置され、検出手段を介して該カセッテに設けられた放射線変換パネルの撮影面が前記放射線源側に配置されているか否かを検出する。この場合、撮影部に設けられた検出手段の検出部からカセッテに対して発光光を照射した際に、カセッテにおいて撮影面を除く側面に前記発光光を散乱可能な散乱部が設けられているため、前記撮影面が撮影装置側に設置されているか否かを前記発光光の受光状況に応じて事前に察知することができる。従って、撮影面が撮影装置とは反対側に設置された撮影不可状態において、撮影面が撮影装置側となるようにカセッテを確実且つ容易に設置し直すことができると共に、前記撮影不可状態における誤撮影が防止されるため作業効率を向上させることができる。
【発明を実施するための最良の形態】
【００１０】
図１〜図３は、本実施の形態に係る放射線画像撮影システム１０が設置された手術室１２の説明図である。手術室１２には、放射線画像撮影システム１０に加えて、患者１４（被写体）が横臥する手術台１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１１】
放射線画像撮影システム１０は、撮影条件に従った線量からなる放射線Ｘを患者１４に照射する撮影装置２２と、患者１４を透過した放射線Ｘを検出する放射線検出器（放射線変換パネル）５０（後述する）を内蔵した放射線検出カセッテ（カセッテ）２４と、放射線検出器５０によって検出された放射線Ｘに基づく放射線画像を表示する表示装置２６と、前記撮影装置２２、放射線検出カセッテ２４及び表示装置２６を制御するコンソール２８と、前記撮影装置２２に対する前記放射線検出カセッテ２４の設置方向を検知する検出部３０とを備える。この撮影装置２２、放射線検出カセッテ２４、表示装置２６及びコンソール２８間では、無線通信による信号の送受信が行われる。
【００１２】
撮影装置２２は、複数の自在アーム３２によって移動自在に設けられ、患者１４の撮影部位に応じた所望の位置に移動可能であると共に、医師１８による手術の邪魔とならない位置に待避可能である。同様に、表示装置２６は、自在アーム３４に連結され、撮影された放射線画像を医師１８が容易に確認できる位置に移動可能である。
【００１３】
また、撮影装置２２の側部には、手術台１６に設置された放射線検出カセッテ２４と対峙するように検出部３０が設けられる。この検出部３０は、例えば、発光光を発光する発光部３６と、該発光光を受光する受光部３８とを有する反射型フォトセンサからなり、前記発光部３６及び受光部３８が放射線検出カセッテ２４に臨むように設けられる（図２参照）。そして、この発光部３６から放射線検出カセッテ２４に向かって略直交するように発光光が照射され、その発光光が照射面４０に反射して受光部３８によって受光される。この検出部３０による検出結果が撮影装置２２を構成する送受信機９２へと出力された後、コンソール２８へと送信される。なお、この検出部３０は、撮影装置２２の内部に設けるようにしてもよい。
【００１４】
図４〜図６は、放射線検出カセッテ２４の外観及び内部構成を示す図である。放射線検出カセッテ２４は、放射線Ｘを透過させる材料からなるケーシング（筐体）４２を備える。このケーシング４２は、略長方形状で所定間隔離間した一組の平板部４４ａ、４４ｂと、前記平板部４４ａ、４４ｂ同士を接続し、その四方を取り囲むように略直交した４つの壁部４６ａ〜４６ｄとから構成される。なお、ケーシング４２は、一方の平板部４４ａが撮影装置２２に臨み（図２中、矢印Ａ方向）、他方の平板部４４ｂが手術台１６に臨むように配置される（図２中、矢印Ｂ方向）。
【００１５】
この放射線検出カセッテ２４の内部には、放射線Ｘが照射されるケーシング４２の照射面４０側から、患者１４による放射線Ｘの散乱線を除去するグリッド４８、患者１４を透過した放射線Ｘを検出する放射線検出器５０、及び、前記放射線Ｘのバック散乱線を吸収する鉛板５２が順に配設される。なお、ケーシング４２の照射面４０をグリッドとして構成してもよい。
【００１６】
また、ケーシング４２の内部には、放射線検出カセッテ２４の電源であるバッテリ５４と、前記バッテリ５４から供給される電力により放射線検出器５０を駆動制御するカセッテ制御部５６と、前記放射線検出器５０によって検出した放射線Ｘの情報を含む信号をコンソール２８との間で送受信する送受信機５８とが収容される。
【００１７】
照射面４０を備える平板部４４ａには、各壁部４６ａ〜４６ｄ側となる端部近傍に反射部６０が所定幅で設けられる。この反射部６０は、例えば、再帰性反射が可能な反射材からなり、シート状に形成されて前記平板部４４ａに貼着されると共に、検出部３０を構成する発光部３６から照射された発光光を該発光部３６側（矢印Ａ方向）に向かって反射可能に設けられる。すなわち、この反射部６０は、平板部４４ａの端部を囲むように中空状に形成される（図３参照）。
【００１８】
一方、上述した照射面４０とは反対側となるケーシング４２の平板部４４ｂには、図５及び図６に示されるように、複数の膨出面６２を有する凹凸状に形成された散乱部６４が設けられ、前記散乱部６４を備える平板部４４ｂが撮影装置２２及び検出部３０側（矢印Ａ方向）となるように配置された際、該検出部３０からの発光光を散乱可能に形成されている。
【００１９】
この散乱部６４は、平板部４４ｂの表面に沿って設けられ、その膨出面６２はケーシング４２から離間する方向（矢印Ｂ方向）に向かって断面略円弧状に膨出して形成される。
【００２０】
すなわち、ケーシング４２には、患者１４及び撮影装置２２に臨み、放射線Ｘの照射される平板部４４ａに反射部６０が設けられ、前記患者１４の横臥する手術台１６に臨む平板部４４ｂに散乱部６４が設けられている。換言すれば、放射線Ｘが照射される放射線検出器５０に近接した平板部４４ａに反射部６０を設け、該放射線のバック散乱線を吸収可能な鉛板５２側（矢印Ｂ方向）の平板部４４ｂに散乱部６４を設けている。
【００２１】
なお、カセッテ制御部５６、送受信機５８には、放射線Ｘが照射されることによる損傷を回避するため、ケーシング４２の照射面４０側に鉛板等を配設しておくことが好ましい。
【００２２】
図７は、放射線検出器５０の回路構成ブロック図である。放射線検出器５０は、放射線Ｘを感知して電荷を発生させるアモルファスセレン（ａ−Ｓｅ）等の物質からなる光電変換層６７を行列状の薄膜トランジスタ（ＴＦＴ：Ｔｈｉｎ  Ｆｉｌｍ  Ｔｒａｎｓｉｓｔｏｒ）６８のアレイの上に配置した構造を有し、発生した電荷を蓄積容量６９に蓄積した後、各行毎にＴＦＴ６８を順次オンにして、電荷を画像信号として読み出す。図７では、光電変換層６７及び蓄積容量６９からなる１つの画素６６と１つのＴＦＴ６８との接続関係のみを示し、その他の画素６６の構成については省略している。なお、アモルファスセレンは、高温になると構造が変化して機能が低下してしまうため、所定の温度範囲内で使用する必要がある。従って、放射線検出カセッテ２４内に放射線検出器５０を冷却する手段を配設することが好ましい。
【００２３】
各画素６６に接続されるＴＦＴ６８には、行方向と平行に延びるゲート線７０と、列方向と平行に延びる信号線７２とが接続される。各ゲート線７０は、ライン走査駆動部７４に接続され、各信号線７２は、読取回路を構成するマルチプレクサ８２に接続される。
【００２４】
ゲート線７０には、行方向に配列されたＴＦＴ６８をオンオフ制御する制御信号Ｖｏｎ、Ｖｏｆｆがライン走査駆動部７４から供給される。この場合、ライン走査駆動部７４は、ゲート線７０を切り替える複数のスイッチＳＷ１と、スイッチＳＷ１の１つを選択する選択信号を出力するアドレスデコーダ７６とを備える。アドレスデコーダ７６には、カセッテ制御部５６からアドレス信号が供給される。
【００２５】
また、信号線７２には、列方向に配列されたＴＦＴ６８を介して各画素６６の蓄積容量６９に保持されている電荷が流出する。この電荷は、増幅器７８によって増幅される。増幅器７８には、サンプルホールド回路８０を介してマルチプレクサ８２が接続される。マルチプレクサ８２は、信号線７２を切り替える複数のスイッチＳＷ２と、スイッチＳＷ２の１つを選択する選択信号を出力するアドレスデコーダ８４とを備える。アドレスデコーダ８４には、カセッテ制御部５６からアドレス信号が供給される。マルチプレクサ８２には、Ａ／Ｄ変換器８６が接続され、前記Ａ／Ｄ変換器８６によってデジタル信号に変換された放射線画像情報がカセッテ制御部５６に供給される。
【００２６】
図８は、撮影装置２２、放射線検出カセッテ２４、表示装置２６及びコンソール２８からなる放射線画像撮影システム１０の構成ブロック図である。
【００２７】
撮影装置２２は、撮影スイッチ８８と、放射線Ｘを出力する放射線源９０と、コンソール２８から無線通信により撮影条件を受信する一方、検出部３０による検出結果や撮影完了信号等を無線通信でコンソール２８に対して送信する送受信機９２と、撮影スイッチ８８から供給される撮影開始信号及び送受信機９２から供給される撮影条件に基づいて放射線源９０を制御する線源制御部９４とを備える。
【００２８】
放射線検出カセッテ２４には、放射線検出器５０、バッテリ５４、カセッテ制御部５６及び送受信機５８が収容される。
【００２９】
カセッテ制御部５６は、放射線検出器５０を構成するライン走査駆動部７４のアドレスデコーダ７６及びマルチプレクサ８２のアドレスデコーダ８４に対してアドレス信号を供給するアドレス信号発生部９６と、放射線検出器５０によって検出された放射線画像情報を記憶する画像メモリ９８と、該放射線検出カセッテ２４を特定するためのカセッテＩＤ情報を記憶するカセッテＩＤメモリ１００とを備える。
【００３０】
送受信機５８は、コンソール２８から無線通信により送信要求信号を受信する一方、前記コンソール２８に対して、カセッテＩＤメモリ１００に記憶されたカセッテＩＤ情報、画像メモリ９８に記憶された放射線画像情報を無線通信により送信する。
【００３１】
表示装置２６は、コンソール２８から放射線画像情報を受信する受信機１０２と、受信した放射線画像情報の表示制御を行う表示制御部１０４と、前記表示制御部１０４によって処理された放射線画像情報を表示する表示部１０６とを備える。
【００３２】
コンソール２８は、撮影装置２２、放射線検出カセッテ２４及び表示装置２６に対して、放射線画像情報、位置情報等を含む必要な情報を無線通信により送受信する送受信機１０８と、撮影装置２２による撮影に必要な撮影条件を管理する撮影条件管理部１１０と、放射線検出カセッテ２４から送信された放射線画像情報に対する画像処理を行う画像処理部１１２と、処理した放射線画像情報を記憶する画像メモリ１１４と、撮影対象である患者１４の患者情報を管理する患者情報管理部１１６と、放射線検出カセッテ２４から送信されたカセッテ情報を管理するカセッテ情報管理部１１８と、前記検出部３０による検出結果に基づいて放射線検出カセッテ２４の設置状態を判定する状態判定部１２０とを備える。なお、コンソール２８は、撮影装置２２、放射線検出カセッテ２４及び表示装置２６に対して無線通信による信号の送受信を行うことができるのであれば、手術室１２の外に設置してもよい。
【００３３】
本実施の形態の放射線画像撮影システム１０は、基本的には以上のように構成されるものであり、次にその動作について説明する。
【００３４】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１１６に予め登録される。また、撮影部位や撮影方法が予め決まっている場合には、これらの撮影条件を撮影条件管理部１１０に予め登録しておく。以上の準備作業が終了した状態において、患者１４に対する手術が遂行される。
【００３５】
手術中において放射線画像の撮影を行う場合、医師１８又は担当する放射線技師は、患者１４と手術台１６との間の所定位置に、照射面４０を撮影装置２２側（図２及び図９Ａ中、矢印Ａ方向）とした状態で放射線検出カセッテ２４を設置する。
【００３６】
この際、図２及び図９Ａに示されるように、検出部３０を構成する発光部３６から放射線検出カセッテ２４側（矢印Ｂ方向）に向かって発光光を照射し、その直進した発光光がケーシング４２に設けられた反射部６０によって反射し、前記発光光が再び検出部３０側（矢印Ａ方向）に向かって直進することにより受光部３８によって受光される。詳細には、図３に示されるように、患者１４によって覆われていない反射部６０の一部を介して発光光が反射して受光部３８側（矢印Ａ方向）へと直進する。すなわち、反射部６０は、ケーシング４２の照射面４０側に横臥する患者１４を避けるように該ケーシング４２における平板部４４ａ近傍に設けられている。
【００３７】
そして、検出部３０の検出結果に基づいて検出信号が、撮影装置２２における送受信機９２へと出力された後、コンソール２８の送受信機１０８を通じて状態判定部１２０へと出力される。
【００３８】
この状態判定部１２０では、その検出信号に基づいて発光部３６からの発光光が受光部３８によって受光されたことが確認され、反射部６０を備えたケーシング４２の平板部４４ａが前記検出部３０に対峙していると判定される。すなわち、放射線検出カセッテ２４の照射面４０が、撮影装置２２側（矢印Ａ方向）となるように所定の向きで設置されていることが確認される。
【００３９】
このように、放射線検出カセッテ２４が患者１４と手術台１６との間に正確に設置されていることが確認された後、撮影装置２２を放射線検出カセッテ２４に対向する位置に移動させ、撮影スイッチ８８を操作して撮影を行う。
【００４０】
一方、図９Ｂに示されるように、散乱部６４を有する平板部４４ｂが患者１４及び撮影装置２２側（矢印Ａ方向）となるように放射線検出カセッテ２４を誤って設置した場合、検出部３０の発光部３６から照射された発光光が、前記放射線検出カセッテ２４側（矢印Ｂ方向）に向かって直進して散乱部６４に入射することにより、該散乱部６４の膨出面６２によって様々な方向に拡散するように反射するため、この反射した発光光が受光部３８で受光されることがない。そして、検出部３０からの検出信号に基づいて発光部３６からの発光光が受光部３８によって受光されないことから、散乱部６４を備えたケーシング４２の平板部４４ｂが、前記検出部３０に対峙していると判定される。
【００４１】
すなわち、放射線検出カセッテ２４の照射面４０が、撮影装置２２側（矢印Ａ方向）となるように設置されておらず、該照射面４０と反対側となる側面が前記撮影装置２２側となるように誤った向きで設置されていることが確認される。
【００４２】
この場合には、撮影装置２２からの放射線Ｘが、患者１４の患部及び放射線検出カセッテ２４の放射線検出器５０に対して照射されることがなく、所望の放射線画像の撮影が行われないおそれがあるとして、前記状態判定部１２０から送受信機１０８を介して出力信号が表示装置２６へと出力される。それに伴って、放射線検出カセッテ２４が所定位置に配置されていないことを警告として、前記コンソール２８、表示装置２６等に表示させる。なお、放射線検出カセッテ２４が誤った向きで設置された場合に警告表示を行うだけでなく、状態判定部１２０からの出力信号に基づいてコンソール２８から撮影装置２２の線源制御部９４へと制御信号を出力し、前記撮影装置２２による撮影作業を禁止するようにしてもよい。また、放射線検出カセッテ２４の側面に表示部（図示せず）を設け、該表示部に対してこれらの表示を表示させるようにしてもよい。
【００４３】
さらに、照射面４０が撮影装置２２側（矢印Ａ方向）となるように放射線検出カセッテ２４が正しい向きで設置されている場合には、例えば、表示装置２６に撮影許可を示す表示を表示させてもよい。
【００４４】
このように、コンソール２８、表示装置２６等に表示された警告を確認した後、放射線検出カセッテ２４を患者１４と手術台１６との間の所定位置から一旦取り出し、反射部６０を備えた照射面４０が撮影装置２２側（矢印Ａ方向）となるように向きを変更して前記所定位置に対して再度設置する。
【００４５】
上述したように、放射線検出カセッテ２４が所定位置において、照射面４０が撮影装置２２側に設置されていることが確認された後、撮影スイッチ８８を操作して撮影を行う。これにより、撮影装置２２の線源制御部９４は、送受信機９２、１０８を介して、コンソール２８の撮影条件管理部１１０より患者１４の撮影部位に係る撮影条件を無線通信により取得し、取得した撮影条件に従って放射線源９０を制御することにより、所定の線量からなる放射線Ｘを患者１４に照射する。
【００４６】
患者１４を透過した放射線Ｘは、放射線検出カセッテ２４のグリッド４８によって散乱線が除去された後、放射線検出器５０に照射され、放射線検出器５０を構成する各画素６６の光電変換層６７によって電気信号に変換され、蓄積容量６９に電荷として保持される（図７参照）。次いで、各蓄積容量６９に保持された患者１４の放射線画像情報である電荷情報は、カセッテ制御部５６を構成するアドレス信号発生部９６からライン走査駆動部７４及びマルチプレクサ８２に供給されるアドレス信号に従って読み出される。
【００４７】
すなわち、ライン走査駆動部７４のアドレスデコーダ７６は、アドレス信号発生部９６から供給されるアドレス信号に従って選択信号を出力してスイッチＳＷ１の１つを選択し、対応するゲート線７０に接続されたＴＦＴ６８のゲートに制御信号Ｖｏｎを供給する。一方、マルチプレクサ８２のアドレスデコーダ８４は、アドレス信号発生部９６から供給されるアドレス信号に従って選択信号を出力してスイッチＳＷ２を順次切り替え、ライン走査駆動部７４によって選択されたゲート線７０に接続された各画素６６の蓄積容量６９に保持された電荷情報である放射線画像情報を信号線７２を介して読み出す。
【００４８】
各放射線検出器５０の選択されたゲート線７０に接続された各画素６６の蓄積容量６９から読み出された放射線画像情報は、各増幅器７８によって増幅された後、サンプルホールド回路８０によってサンプリングされ、マルチプレクサ８２を介してＡ／Ｄ変換器８６に供給され、デジタル信号に変換される。デジタル信号に変換された放射線画像情報は、カセッテ制御部５６の画像メモリ９８に一旦記憶された後、送受信機５８を介して、無線通信によりコンソール２８に送信される。
【００４９】
同様にして、ライン走査駆動部７４のアドレスデコーダ７６は、アドレス信号発生部９６から供給されるアドレス信号に従ってスイッチＳＷ１を順次切り替え、各ゲート線７０に接続されている各画素６６の蓄積容量６９に保持された電荷情報である放射線画像情報を信号線７２を介して読み出し、マルチプレクサ８２及びＡ／Ｄ変換器８６を介してカセッテ制御部５６の画像メモリ９８に記憶させる。
【００５０】
コンソール２８に送信された放射線画像情報は、送受信機１０８によって受信され、画像処理部１１２において所定の画像処理が施された後、患者情報管理部１１６に登録されている患者１４の患者情報と関連付けられた状態で画像メモリ１１４に記憶される。
【００５１】
また、画像処理の施された放射線画像情報は、送受信機１０８から表示装置２６に送信される。受信機１０２によって放射線画像情報を受信した表示装置２６は、表示制御部１０４によって表示部１０６を制御し、放射線画像を表示する。医師１８は、表示部１０６に表示された放射線画像を確認しながら手術を遂行する。
【００５２】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００５３】
なお、上述した本実施の形態では、検出部３０が撮影装置２２と同様に患者１４及び放射線検出カセッテ２４に臨む上方に設けられる場合について説明したが、これに限定されるものではなく、例えば、手術台１６の下部に検出部を設け、前記放射線検出カセッテ２４に対して下方から発光光を照射し、その反射状態に応じて該放射線検出カセッテ２４の設置状態を確認可能な構成としてもよい。
【００５４】
また、放射線検出カセッテ２４を構成するケーシング４２には、照射面４０を有する平板部４４ａに反射部６０を設け、検出部３０からの発光光を反射可能とし、前記照射面４０に対して反対側となる平板部４４ｂに、前記発光光を散乱可能な散乱部６４を設ける構成としているが、これに限定されるものではない。例えば、照射面４０を有する平板部４４ａに散乱部６４を設けると共に、前記照射面４０の反対側となる平板部４４ｂに反射部６０を設けるようにしてもよい。この場合には、検出部３０の受光部３８において発光光が受光された場合には、放射線検出カセッテ２４の照射面４０が撮影装置２２側に配置されていない誤った向きで設置されていることが確認される。
【００５５】
以上のように、本実施の形態では、患者１４と手術台１６との間に放射線検出カセッテ２４が設置され、撮影装置２２と共に上方に設けられた検出部３０から前記放射線検出カセッテ２４に対して発光光が照射される。そして、放射線検出カセッテ２４に反射した発光光の受光状況に基づいて放射線検出カセッテ２４の照射面４０が撮影装置２２側（矢印Ａ方向）に配置されているか否かを検出することができる。
【００５６】
すなわち、放射線検出カセッテ２４には、照射面４０に対して反対側となる平板部４４ｂに発光光を散乱可能な散乱部６４が設けられているため、前記発光光が検出部３０において受光されなかった場合には、前記照射面４０が撮影装置２２側（矢印Ａ方向に）に設置されていないことが確認される。その結果、検出結果に基づいて照射面４０が撮影装置２２側となるように放射線検出カセッテ２４を確実且つ容易に設置し直すことができ、それによって所望の撮影作業を行うことができると共に、放射線検出カセッテ２４において照射面４０とは反対側で誤って撮影が行われることが防止されるため作業効率の向上を図ることが可能となる。
【００５７】
また、上述した本実施の形態では、手術台１６に患者１４が臥位し、該患者１４と手術台１６との間に放射線検出カセッテ２４が設置されて撮影が行われる放射線画像撮影システム１０について説明したが、これに限定されるものではなく、例えば、患者１４が撮影装置に臨むように立位し、水平方向に照射される放射線Ｘによって撮影が行われる放射線画像撮影システムに放射線検出カセッテ２４を用いるようにしてもよい。
【００５８】
なお、本発明は、上述した実施形態に限定されるものではなく、本発明の主旨を逸脱しない範囲で自由に変更できることは勿論である。
【図面の簡単な説明】
【００５９】
【図１】本実施の形態に係る放射線画像撮影システムの設置された手術室の説明図である。
【図２】図１の手術室における患者及び放射線検出カセッテ近傍を示す拡大側面図である。
【図３】図１の手術室における患者及び放射線検出カセッテ近傍を示す拡大平面図である。
【図４】放射線検出カセッテを放射線が照射される照射面側から見た一部切欠外観斜視図である。
【図５】図４の放射線検出カセッテを照射面とは反対側から見た外観斜視図である。
【図６】放射線検出カセッテの側面図である。
【図７】放射線検出器の回路構成ブロック図である。
【図８】放射線画像撮影システムの構成ブロック図である。
【図９】図９Ａは、放射線検出カセッテにおいて照射面である平板部が撮影装置及び検出部に対峙した状態を示し、図９Ｂは、前記照射面とは反対側となる平板部が前記撮影装置及び検出部に対峙した状態を示す説明図である。
【符号の説明】
【００６０】
１０…放射線画像撮影システム        １２…手術室
１４…患者                          １６…手術台
２２…撮影装置                      ２４…放射線検出カセッテ
２６…表示装置                      ２８…コンソール
３０…検出部                        ３６…発光部
３８…受光部                        ４０…照射面
４２…ケーシング                    ４４ａ、４４ｂ…平板部
５０…放射線検出器                  ５６…カセッテ制御部
５８、９２、１０８…送受信機        ６０…反射部
６２…膨出面                        ６４…散乱部
９０…放射線源                      １０６…表示部
１２０…状態判定部
【図１】
2009028374.tif 000003
【図２】
2009028374.tif 000004
【図３】
2009028374.tif 000005
【図４】
2009028374.tif 000006
【図５】
2009028374.tif 000007
【図６】
2009028374.tif 000008
【図７】
2009028374.tif 000009
【図８】
2009028374.tif 000010
【図９】
2009028374.tif 000011